【手続補正書】
【提出日】平成26年7月2日(2014.7.2)
【手続補正１】
【補正対象書類名】特許請求の範囲
【補正対象項目名】全文
【補正方法】変更
【補正の内容】
【特許請求の範囲】
【請求項１】
多値入力画像データに対してハーフトーン処理を施して第１ハーフトーン画像データを生成する第１ハーフトーン処理手段と、
前記第１ハーフトーン画像データに対して、注目画素ごとに該注目画素を含む近傍の第１領域を処理対象とした平滑化フィルタ処理を行って第１フィルタ処理データを生成する第１フィルタ処理手段と、
前記多値入力画像データに対して、注目画素ごとに前記第１領域を処理対象とした平滑化フィルタ処理を行って第２フィルタ処理データを生成する第２フィルタ処理手段と、
前記第１フィルタ処理データと前記第２フィルタ処理データについて、それぞれの画素あたりの階調数が同じになるように変換してその差分を算出し、該差分を第１モアレ発生強度として画素ごとに評価する第１差分評価手段と、
前記第１ハーフトーン画像データに対して、注目画素ごとに、前記第１領域よりも面積の小さい、該注目画素を含む近傍の第２領域を処理対象とした平滑化フィルタ処理を行って第３フィルタ処理データを生成する第３フィルタ処理手段と、
前記多値入力画像データに対して、注目画素ごとに前記第２領域を処理対象とした平滑化フィルタ処理を行って第４フィルタ処理データを生成する第４フィルタ処理手段と、
前記第３フィルタ処理データと前記第４フィルタ処理データについて、それぞれの画素あたりの階調数が同じになるように変換してその差分を算出し、該差分を第２モアレ発生強度として画素ごとに評価する第２差分評価手段と、
注目画素を中心とする所定領域内の前記多値入力画像データにおける特徴量に応じて、前記第１差分評価手段または前記第２差分評価手段のいずれか一方を選択してその評価結果を出力するモアレ発生強度選択手段と、
を有することを特徴とする画像処理装置。
【請求項２】
さらに、前記多値入力画像データに対して、前記第１ハーフトーン処理手段におけるハーフトーン処理とは異なる特性のハーフトーン処理を施して第２ハーフトーン画像データを生成する第２ハーフトーン処理手段と、
前記モアレ発生強度が予め定められた閾値以下であれば前記第１ハーフトーン画像データを選択し、該モアレ発生強度が該閾値を超えていれば前記第２ハーフトーン画像データを選択する選択手段と、
を有することを特徴とする請求項１に記載の画像処理装置。
【請求項３】
前記第１ハーフトーン処理手段は前記多値入力画像データに対して予め定められたハーフトーン処理周期によるハーフトーン処理を施し、
前記第１領域は前記ハーフトーン処理周期に応じた形状であることを特徴とする請求項１または２に記載の画像処理装置。
【請求項４】
前記第１ハーフトーン処理手段は、前記多値入力画像データに対し、前記ハーフトーン処理周期を閾値の周期とする閾値マトリクスを適用したディザ処理を行うことを特徴とする請求項３に記載の画像処理装置。
【請求項５】
前記第１領域は、前記閾値マトリクスを充填した平面上において該閾値マトリクスを構成する閾値のそれぞれが同一回数ずつ出現する領域に相当することを特徴とする請求項４に記載の画像処理装置。
【請求項６】
前記第１および第２フィルタ処理手段は、前記閾値マトリクスを充填した平面上において、前記第１領域の内部における各閾値の出現頻度に応じた重み係数を該第１領域の画素ごとに設定した平滑化フィルタ処理を行うことを特徴とする請求項４に記載の画像処理装置。
【請求項７】
前記第３および第４フィルタ処理手段は、参照画素領域の画素数が縦横同一であるフィルタを用いてフィルタ処理を行うことを特徴とする請求項４乃至６のいずれか１項に記載の画像処理装置。
【請求項８】
前記特徴量は、エッジ量であることを特徴とする、請求項１乃至７の何れか１項に記載の画像処理装置。
【請求項９】
前記特徴量は、ダイナミックレンジであることを特徴とする、請求項１乃至８の何れか１項に記載の画像処理装置。
【請求項１０】
前記第３フィルタ処理手段及び前記第４フィルタ処理手段が用いるフィルタは等方性フィルタであることを特徴とする、請求項１乃至９の何れか１項に記載の画像処理装置。
【請求項１１】
多値入力画像データを入力する入力手段と、
前記多値入力画像データに対してハーフトーン処理を施してハーフトーン画像データを生成するハーフトーン処理手段と、
前記ハーフトーン画像データにおけるモアレ強度を出力する出力手段とを有し、
前記出力手段は、前記多値入力画像データにおける注目画素を含む近傍の第１の領域におけるハーフトーン画像データと多値画像データとの差分に基づく値と、前記第１の領域よりも小さい前記注目画素を含む近傍の第２の領域におけるハーフトーン画像データと多値入力画像データとの差分に基づく値とのうち、前記多値入力画像データにおける特徴量に応じた何れかを、前記注目画素のモアレ強度として出力することを特徴とする画像処理装置。
【請求項１２】
前記出力手段は、前記注目画素がエッジを構成する画素でない場合は、前記第１の領域におけるハーフトーン画像データと多値画像データとの差分に基づく値を出力し、前記注目画素がエッジを構成する画素である場合は、前記第２の領域におけるハーフトーン画像データと多値入力画像データとの差分に基づく値を出力することを特徴とする、請求項１１に記載の画像処理装置。
【請求項１３】
第１ハーフトーン処理手段、第１フィルタ処理手段、第２フィルタ処理手段、第３フィルタ処理手段、第４フィルタ処理手段、第１差分評価手段、第２差分評価手段、およびモアレ発生強度選択手段、を有する画像処理装置における画像処理方法であって、
前記第１ハーフトーン処理手段が、多値入力画像データに対してハーフトーン処理を施して第１ハーフトーン画像データを生成する第１ハーフトーン処理ステップと、
前記第１フィルタ処理手段が、前記第１ハーフトーン画像データに対して、注目画素ごとに該注目画素を含む近傍の第１領域を処理対象とした平滑化フィルタ処理を行って第１フィルタ処理データを生成する第１フィルタ処理ステップと、
前記第２フィルタ処理手段が、前記多値入力画像データに対して、注目画素ごとに前記第１領域を処理対象とした平滑化フィルタ処理を行って第２フィルタ処理データを生成する第２フィルタ処理ステップと、
前記第１差分評価手段が、前記第１フィルタ処理データと前記第２フィルタ処理データについて、それぞれの画素あたりの階調数が同じになるように変換してその差分を算出し、該差分を第１モアレ発生強度として画素ごとに評価する第１差分評価ステップと、
前記第３フィルタ処理手段が、前記第１ハーフトーン画像データに対して、注目画素ごとに、前記第１領域よりも面積の小さい、該注目画素を含む近傍の第２領域を処理対象とした平滑化フィルタ処理を行って第３フィルタ処理データを生成する第３フィルタ処理ステップと、
前記第４フィルタ処理手段が、前記多値入力画像データに対して、注目画素ごとに前記第２領域を処理対象とした平滑化フィルタ処理を行って第４フィルタ処理データを生成する第４フィルタ処理ステップと、
前記第２差分評価手段が、前記第３フィルタ処理データと前記第４フィルタ処理データについて、それぞれの画素あたりの階調数が同じになるように変換してその差分を算出し、該差分を第２モアレ発生強度として画素ごとに評価する第２差分評価ステップと、
前記モアレ発生強度選択手段が、注目画素を中心とする所定領域内の前記多値入力画像データにおける特徴量に応じて、前記第１差分評価手段または前記第２差分評価手段のいずれか一方を選択してその評価結果を出力するモアレ発生強度選択ステップと、
を有することを特徴とする画像処理方法。
【請求項１４】
入力手段、ハーフトーン処理手段、および出力手段、を有する画像処理装置における画像処理方法であって、
前記入力手段が、多値入力画像データを入力する入力ステップと、
前記ハーフトーン処理手段が、前記多値入力画像データに対してハーフトーン処理を施してハーフトーン画像データを生成するハーフトーン処理ステップと、
前記出力手段が、前記ハーフトーン画像データにおけるモアレ強度を出力する出力ステップとを有し、
前記出力ステップでは、前記多値入力画像データにおける注目画素を含む近傍の第１の領域におけるハーフトーン画像データと多値画像データとの差分に基づく値と、前記第１の領域よりも小さい前記注目画素を含む近傍の第２の領域におけるハーフトーン画像データと多値入力画像データとの差分に基づく値とのうち、前記多値入力画像データにおける特徴量に応じた何れかを、前記注目画素のモアレ強度として出力することを特徴とする画像処理方法。
【請求項１５】
コンピュータで実行されることにより、該コンピュータを請求項１乃至１２のいずれか１項に記載の画像処理装置の各手段として機能させるためのプログラム。